(57)【要約】【課題】  キッチン側、ダイニング側の両側から収納物を容易に取り出せるキッチンキャビネットを組み込ませた対面式キッチンユニットを提供する。【解決手段】  ダイニング側およびキッチン側から利用可能なカウンター２と、カウンター２の少なくとも一端側に組み込まれたキッチンキャビネット４とを備えており、キッチンキャビネット４のカウンター２に面している面のうち、ダイニング側又はキッチン側を向いている面でなく、カウンター２上方の側面側にあたる面４１から引出される引出し棚５を備えていることを特徴とする対面式キッチンユニット。【選択図】  図１
2005143868.tif 000002
【特許請求の範囲】
【請求項１】
ダイニング側およびキッチン側から利用可能なカウンターと、カウンターの少なくとも一端側に組み込まれたキッチンキャビネットとを備えており、
前記キッチンキャビネットのカウンターに面している面のうち、
ダイニング側又はキッチン側を向いている面でなく、前記カウンター上方の側面側にあたる面から引出される引出し棚を備えていることを特徴とする対面式キッチンユニット。
【請求項２】
ダイニング側およびキッチン側から利用可能なカウンターと、カウンターの少なくとも一端側に組み込まれたキッチンキャビネットとを備えており、
前記キッチンキャビネットのカウンターに面している面のうち、
ダイニング側又はキッチン側を向いている面でなく、前記カウンター上方の側面側にあたる面に、扉を設けた棚を備えていることを特徴とする対面式キッチンユニット。
【請求項３】
前記側面側にあたる面の一部分に、照明器具又はコンセントが組み込まれていることを特徴とする請求項１又は２記載の対面式キッチンユニット。
【発明の詳細な説明】
【技術分野】
【０００１】
本発明は対面式キッチンユニットに関するものである。
【背景技術】
【０００２】
従来から、対面式キッチンとキッチンキャビネットが一体化して組み合わされた対面式キッチンユニットが知られている。
【０００３】
このような対面式キッチンユニットに併設されているキッチンキャビネットの収納部は、ダイニング側からのみ使用可能であった（例えば、特許文献１参照。）。
【特許文献１】特開２００１−２２４４５３
【発明の開示】
【発明が解決しようとする課題】
【０００４】
特許文献１の対面式キッチンユニットには以下のような問題点がある。
【０００５】
キッチン側にいる作業者は、キッチンキャビネットに収納されている収納物を取り出す際に、わざわざダイニング側に回り込んで取り出さなければならず、非常に面倒であった。
【０００６】
本発明は上記事項に鑑みてなしたもので、その目的とするところは、キッチン側、ダイニング側の両側から収納物を容易に取り出すことができるキッチンキャビネットを組み込ませた対面式キッチンユニットを提供することにある。
【課題を解決するための手段】
【０００７】
請求項１に係る発明の対面式キッチンユニットは、ダイニング側およびキッチン側から利用可能なカウンターと、カウンターの少なくとも一端側に組み込まれたキッチンキャビネットとを備えており、前記キッチンキャビネットのカウンターに面している面のうち、ダイニング側又はキッチン側を向いている面でなく、前記カウンター上方の側面側にあたる面から引出される引出し棚を備えていることを特徴とする。
【０００８】
請求項２に係る発明の対面式キッチンユニットは、ダイニング側およびキッチン側から利用可能なカウンターと、カウンターの少なくとも一端側に組み込まれたキッチンキャビネットとを備えており、前記キッチンキャビネットのカウンターに面している面のうち、ダイニング側又はキッチン側を向いている面でなく、前記カウンター上方の側面側にあたる面に、扉を設けた棚を備えていることを特徴とする。
【０００９】
請求項３に係る発明の対面式キッチンユニットは、前記側面側にあたる面の一部分に、照明器具又はコンセントが組み込まれていることを特徴とする。
【発明の効果】
【００１０】
請求項１に係る発明の対面式キッチンユニットによれば、キッチンキャビネットのカウンター上方の側面側にあたる面から引出される引出し棚を備えているため、キッチン側、ダイニング側どちらの側にいる人でも、キッチンを挟んで廻り込むといった面倒な動作を行うことなく、引出し棚を引いてキッチンキャビネット内の収納物を簡単に取り出すことができる。
【００１１】
請求項２に係る発明の対面式キッチンユニットによれば、キッチンキャビネットのカウンター上方の側面側にあたる面に、扉を設けた棚を備えていることにより、請求項１と同様の効果が発現される。
【００１２】
請求項３に係る発明の対面式キッチンユニットによれば、キッチンキャビネットの側面側にあたる面の一部分に、照明器具又はコンセントを組み込ませている。
【００１３】
照明器具を取り付けた場合、カウンター上面を効率的に明るく照らし、ダイニング側およびキッチン側からの作業を安全に行うことができる。また、引出し棚等を開けた状態においては、キャビネット内を明るく照らし出し、収納物が明確に確認できる。
【００１４】
さらに、コンセントを取り付けた場合には、例えば、電動ミキサー等の電動調理器具をカウンター上面で用いる場合、ダイニング側およびキッチン側の両作業者の手の届く、作業面から近い位置にコンセントが設置されているため、遠くのコンセントまで電動調理器具のコードを延ばしてプラグを挿す必要がなく、容易にコンセントにプラグを挿して用いることができる。そのため、電動調理器具のプラグと繋がれているコードに作業者が引っ掛かったりして、電動調理器具が倒れたり、引っ掛かって暴れたコードによって、カウンター上面にある他の調理器具が落下するといった事故を防止することができる。
【発明を実施するための最良の形態】
【００１５】
以下、本発明を実施形態に基づいて説明する。
【００１６】
図１はキッチンキャビネットの側面側にスライド式の引出し棚を備えた本発明の対面式キッチンユニットの斜視図である。
【００１７】
図２はダイニング側から見た同上の対面式キッチンユニットの断面図である。
【００１８】
図３はキッチンキャビネットの側面側に扉を設けた棚を備えた本発明の対面式キッチンユニットの斜視図である。
【００１９】
図４はダイニング側から見た同上の対面式キッチンユニットの断面図である。
【００２０】
図５は本発明の他の実施形態であるキッチンキャビネットの側面側の一部に照明器具又はコンセントが設けられた対面式キッチンユニットの斜視図である。
【００２１】
図６は他の実施形態である同上の対面式キッチンユニットの断面図である。
【００２２】
ここで、図１〜図６における、キッチンキャビネットの奥とは取り出し口に対しての奥側のことをいう。
【００２３】
（実施形態１）
図１および図２に例示した本発明の対面式キッチンユニットでは、ダイニング側に突出して設けられたカウンター２の一端側に、切欠き部３が設けられており、切欠き部３にキッチンキャビネット４が組み込まれている。キッチンキャビネット４の一側面およびカウンターの一側面は壁６に当接されている。また、キッチンキャビネット４のダイニング側又はキッチン側を向いている面でなく、カウンター２上方の側面側にあたる面４１から引出される引出し棚５が設けられている。
【００２４】
引出し棚５としては、棚がスムーズに動くように、スライド動作を補助する可動治具がキッチンキャビネット４内に設けられたものが好ましい。また、引出した時に引出し棚５がカウンター２に落下することがないように、落下防止用のストッパーを設けておくことがよい。さらに、カウンターに設置してある水道の蛇口等の突出した構造物に接触しないように、突出した構造物にぶつからない程度まで引出し可能となっているとよい。
【００２５】
また、キッチンキャビネット４における対面式キッチン１のカウンター２より下の側面側４２は、引出し棚にすると、収納物７を取り出す時に、対面式キッチン１のカウンター２の突出部の下面が邪魔になって取り出しにくいため、ダイニング側に開くような扉を備えた収納棚を持つ取り出し口であるのが好ましい。しかし、キッチンキャビネット４の形状、使い勝手によってはその如何は問わない。
【００２６】
（実施形態２）
図３および図４に例示した本発明の対面式キッチンユニットでは、カウンター２の切欠き部３にキッチンキャビネット４が組み込まれており、ダイニング側およびキッチン側を向いている面でなく、カウンター２上方の側面側にあたる面４１に扉８を設けた棚を備えている。
【００２７】
扉８としては、キッチンキャビネット４の収納部の棚板側又は天板側に取り付ける場合と、キッチンキャビネット４の収納部の側面側、すなわちキャビネット４のダイニング側又はキッチン側の面に取り付ける場合とが考えられる。扉８の種類としては、引き戸や観音開き扉等、キッチンキャビネット４の形状又は使い易さによって適宜取り付ければよい。
【００２８】
また、対面式キッチン１のカウンター２より下の側面側４２も、実施形態１と同様に扉を備えた収納棚であることが好ましい。
【００２９】
（実施形態３）
図５および図６に例示した本発明の対面式キッチンユニットでは、実施形態１のキッチンキャビネット４の側面側にあたる面４１の上部に照明器具９が、カウンター２上面との角部分にあたる場所にコンセント１０が組み込まれている。
【００３０】
照明器具９をカウンター２上面での作業を補助するために設置する時には、カウンター２上面の作業スペースを明るく照らし出す方向に光が届くように組み込ませるとよい。しかし、カウンター２上面の別の作業スペースや、引出し棚５が引き出された時に、内部に収納されている収納物７等も照らし出すことができることなら、照明器具９の光の当たる方向を、手動で動かせることができたり、電動装置を設けて動かせたりできるとなおよい。
【００３１】
照明器具９のスイッチ９ａは、キッチンキャビネット４の側面側４１の一部分に設けておくと、分かり易い。また、人体の赤外線を感知して自動で明りがつくような人体感知センサ等のセンサを設けて、スイッチ９ａの代わりとしてもよい。
【００３２】
また、照明器具９の光度を調節できるような光度調節用スイッチをスイッチ９ａと併設して設けておくと、ダイニング側、キッチン側両作業者が、明る過ぎず、暗過ぎず、作業し易い明るさで安全に作業することができる。
【００３３】
照明器具９は必要に応じて、安全面、使い易さの面を考慮して、キャビネット４の側面側４１だけに限らず、キャビネット４内の棚板上部等、適宜必要であると思われる場所に取り付けることが好ましい。
【００３４】
コンセント１０は、安全上なるべくカウンター２上面近くに設けることが好ましい。電動調理器具のコードをなるべく延ばさないような位置にコンセント１０を設置すると、電動調理器具のコードに作業者が誤って引っ掛かることなく、安全に作業できるからである。しかし、必要に応じて、適宜使用し易い場所に取り付けるとよい。
【００３５】
照明器具９やコンセント１０の配線類は、キッチンキャビネット４の奥側に設けた、配線又は配管収納用の空間４ｂに収納することができる。
【００３６】
配線又は配管収納用の空間４ｂによって、外部から見えない位置に配線又は配管を隠すことができる。配線又は配管収納用の空間４ｂは、キッチンキャビネット４の調理器具等を収納しておく収納棚４ａの奥に設けるため、実施形態１の場合のように引出し棚５を備えた対面式キッチンユニットでは、配線が引出し棚５に絡んでしまう恐れがある。よって、収納棚４ａと配線又は配管収納用の空間４ｂとの間に仕切りを設けて、両者を完全にわけて設置するとよい。
【００３７】
配線又は配管収納用の空間４ｂの広さは、収納棚４ａに収納物７が十分に収納できる広さであることが好ましい。しかし、配線又は配管の嵩高さによって自由に決められるものとする。
【図面の簡単な説明】
【００３８】
【図１】本発明の対面式キッチンユニットの斜視図である。
【図２】ダイニング側から見た同上の対面式キッチンユニットの断面図である。
【図３】本発明の対面式キッチンユニットの他の実施形態であって、キッチンキャビネット収納物取り出し口が扉付きの棚であるものの斜視図である。
【図４】ダイニング側から見た同上の対面式キッチンユニットの断面図である。
【図５】本発明の対面式キッチンユニットの他の実施形態であって、照明器具とコンセントを設け、キッチンキャビネットの奥側に配線又は配管収納用の空間を設けたものの断面図である。
【図６】ダイニング側から見た同上の対面式キッチンユニットの断面図である。
【符号の説明】
【００３９】
１．対面式キッチン
２．カウンター
３．切欠き部
４．キッチンキャビネット
５．引出し棚
６．壁面
７．収納物
８．扉
９．照明器具
１０．コンセント
【図１】
2005143868.tif 000003
【図２】
2005143868.tif 000004
【図３】
2005143868.tif 000005
【図４】
2005143868.tif 000006
【図５】
2005143868.tif 000007
【図６】
2005143868.tif 000008